(57)【要約】【課題】原形では瓶の孔を通過できない形状の植物を用いたとしても当該植物を細かく切断することなく製造することが可能なハーバリウムの製造方法及び該製造方法によって製造されるハーバリウムを提供すること。【解決手段】ハーバリウムの製造方法は、内部と外部とを連通させる孔１２１が上部に空いた瓶１２に、孔１２１を通過できない形状の植物を、湾曲させ、孔１２１を通過させて挿入するステップと、瓶１２に乾燥剤１８を注入するステップと、所定の期間だけ植物１６を乾燥させるステップと、瓶１２から乾燥剤１８を抽出するステップと、瓶１２にオイル１４を注入するステップとを含む。【選択図】図２
2020110939.tif 000002
【特許請求の範囲】
【請求項１】
内部と外部とを連通させる孔が上部に空いた瓶に、原形では前記孔を通過できない形状の植物を、湾曲させ、前記孔を通過させて挿入するステップと、
前記瓶に乾燥剤を注入するステップと、
所定の期間だけ前記植物を乾燥させるステップと、
前記瓶から乾燥剤を抽出するステップと、
前記瓶にオイルを注入するステップとを含むことを特徴とする、ハーバリウムの製造方法。
【請求項２】
前記植物は、１つの株の１箇所を切断したものであり、他の箇所が切断されていないことを特徴とする、請求項１に記載のハーバリウムの製造方法。
【請求項３】
前記植物は、１つの植物の花と葉を含むことを特徴とする、請求項２に記載のハーバリウムの製造方法。
【請求項４】
植物を、内部と外部とを連通させる孔が上部に空いた瓶に配し、その瓶にオイルを注入したハーバリウムであって、
前記植物は、１つの株の１箇所を切断したものであり、原形では前記孔を通過できない形状であることを特徴とする、ハーバリウム。
【請求項５】
前記植物がクリスマスローズであることを特徴とする、請求項４に記載のハーバリウムの製造方法。
【発明の詳細な説明】
【技術分野】
【０００１】
本発明は、外形が大きい植物を用いたハーバリウムの製造方法及び該製造方法によって製造されるハーバリウムに関する。
【背景技術】
【０００２】
従来、オイルに浸した乾燥植物の標本を観賞用に用いることが行われている。このようなオイルに浸した乾燥植物は、一般的に細長いガラス製等の透明な瓶に見栄えよく封入され、ハーバリウムとして市場で流通している（例えば、特許文献１、２参照）。
【０００３】
ハーバリウムは、植物の美観を長期に保つため、乾燥させた植物をオイルに入れる。従来のハーバリウムの製造方法は、植物を瓶の外で乾燥させる。そして、当該乾燥させた植物を瓶に挿入し、オイルを注ぐ。
【先行技術文献】
【特許文献】
【０００４】
【特許文献１】特開２０１８−１６５２６２号公報
【特許文献２】実用新案登録第３２１５４６８号公報
【発明の概要】
【発明が解決しようとする課題】
【０００５】
しかしながら、乾燥させた植物の外径が大きい場合には、図７に示すように、瓶２２の孔２２１を通過させて瓶２２の中に挿入することができない。乾燥によって植物が固形化しており、孔２２１を通過させる際に植物２２が孔２２１の周縁に接触して損傷してしまうためである。この場合には、図８に示すように、植物２６を細かく切断して切断片２６１とし、当該切断片２６１を瓶２２内に挿入していた。このような製造方法を用いた場合、植物片２６１を切断前の植物２６の状態に再構成することが困難であるという問題があった。特許文献１に開示されたように、植物片２６１を指示する支持体を用いて再構成することは可能であるが、難度の高い作業となってしまう。
【０００６】
本発明は、原形では瓶の孔を通過できない形状の植物を用いたとしても当該植物を細かく切断することなく製造することが可能なハーバリウムの製造方法及び該製造方法によって製造されるハーバリウムを提供することを課題とする。
【課題を解決するための手段】
【０００７】
本発明のハーバリウムの製造方法は、
内部と外部とを連通させる孔が上部に空いた瓶に、原形では前記孔を通過できない形状の植物を、湾曲させ、前記孔を通過させて挿入するステップと、
前記瓶に乾燥剤を注入するステップと、
所定の期間だけ前記植物を乾燥させるステップと、
前記瓶から乾燥剤を抽出するステップと、
前記瓶にオイルを注入するステップとを含むことを特徴とする。
【０００８】
この特徴によれば、植物を瓶に挿入してから乾燥させるため、乾燥前の植物を湾曲させて瓶に挿入することができる。原形では瓶の孔を通過できない形状の植物を用いたとしても、湾曲させて通過させ、当該植物を細かく切断することなくハーバリウムを製造することができる。
【０００９】
本発明のハーバリウムの製造方法において、前記植物は、１つの株の１箇所を切断したものであり、他の箇所が切断されていないことを特徴とする。
【００１０】
この特徴によれば、植物の切断箇所を１つの株の一箇所のみとして、植物の自然な姿を示すハーバリウムを製造することができる。
【００１１】
本発明のハーバリウムの製造方法は、前記植物は、１つの植物の花と葉を含むことを特徴とする。
【００１２】
この特徴によれば、花と葉を含む１つの植物を細かく切断することなく、そのままの形状を保持して、植物の自然な姿をより強く示すハーバリウムを製造することができる。
【００１３】
本発明のハーバリウムは、
植物を、内部と外部とを連通させる孔が上部に空いた瓶に配し、その瓶にオイルを注入したハーバリウムであって、前記植物は、１つの株の１箇所を切断したものであり、原形では前記孔を通過できない形状であることを特徴とする。
【００１４】
この特徴によれば、孔を通過できない形状の植物であっても、当該植物の形状を保持した状態で当該植物を瓶に配することができる。１つの株の１箇所を切断したものであり、植物の自然な姿を示すハーバリウムである。かかるハーバリウムは、本発明のハーバリウムの製造方法を用いることによって初めて製造可能となるものであり、従来例はない。
【００１５】
本発明のハーバリウムにおいて、前記植物がクリスマスローズであることを特徴とする。
【００１６】
この特徴によれば、乾燥前の形状をそのまま保持した自然な姿のクリスマスローズのハーバリウムとなる。
【発明の効果】
【００１７】
本発明によれば、植物を瓶に挿入してから乾燥させるため、瓶の孔を通過できない形状の植物を用いたとしても、当該植物を細かく切断することなくハーバリウムを製造することができる。
【図面の簡単な説明】
【００１８】
【図１】図１は、ハーバリウムの正面図である。
【図２】図２は、ハーバリウムの製造工程図である。
【図３】図３は、ハーバリウムの製造工程の説明図である。
【図４】図４は、ハーバリウムの製造工程の説明図である。
【図５】図５は、ハーバリウムの製造工程の説明図である。
【図６】図６は、ハーバリウムの製造方法により製造されたバーバリウムの一例を示す図である。
【図７】図７は、従来におけるハーバリウムの製造工程の説明図である。
【図８】図８は、従来におけるハーバリウムの製造工程の説明図である。
【発明を実施するための形態】
【００１９】
以下、本発明の実施形態を図面を参照して詳細に説明する。図１は、ハーバリウムの正面図である。ハーバリウム１は、透明なガラス製の瓶１２と、当該瓶１２内に注入されたオイル１４と、当該瓶１２内に配されオイル１４に浸漬された植物１６と、を備えている。瓶１２には、内部と外部とを連通させる孔１２１が上部に空いている。植物１６は原形では当該孔１２１を通過できない形状を有している。なお、瓶１２はガラス製に限定されることはなく、例えば樹脂等の他の材質で構成されていてもよい。オイル１４は、腐食し難く透明度の高い鉱油、シリコンオイル等が好ましい。
【００２０】
次に、ハーバリウム１の製造方法について、図２の製造工程図、図１及び図３〜５を適宜参照して説明する。
【００２１】
まず、図３に示すように、乾燥前の植物１６を、瓶１２の孔１２１を通過できるように湾曲させ、孔１２１を通過させて瓶１２に挿入する（図２のステップＳ１）。ここで、植物１６は乾燥前の状態であるため、植物１６を湾曲させても植物１６の茎や枝が折れたり葉や花が切断されたりすることはない。
【００２２】
次に、図４に示すように、瓶１２に乾燥剤１８を注入し（図２のステップＳ２）、所定の期間だけ植物１６を乾燥させる（図２のステップＳ３）。なお、乾燥剤１８としては、例えば植物１６全体を覆うことができる量のシリカゲルを用いる。また、所定の期間としては、植物１６の水分量がハーバリウム製造に適した所定量以下になるまでが好ましく、気温や湿度によって変動するが、数日から１週間程度が好ましい。
【００２３】
所定の期間が経過した後に、瓶１２から乾燥剤１８を抽出する（図２のステップＳ４）。これにより、図５に示すように、植物１６は乾燥によって外形が若干縮小した状態となる。なお、瓶１２から乾燥剤１８を抽出する方法としては、例えば、瓶１２をひっくり返して瓶１２の孔１２１を下方に向けることで、瓶１２の中の乾燥剤１８を外部に排出することができる。
【００２４】
次に、瓶１２にオイル１４を注入する（図２のステップＳ５）。これにより、図１に示す状態となり、ハーバリウム１が完成する。瓶１２にオイル１４を注入することで、外形が縮小した植物１６は乾燥前のおおよそ元の状態に戻る。なお、オイル１４が瓶１２からこぼれないように孔１２１を蓋で塞いでもよい。
【００２５】
以上、本発明に係るハーバリウムの製造方法について説明した。以下、製造されるバーバリウムの特徴について説明する。
【００２６】
図６は、上記製造方法で製造されたハーバリウム１の一例を示す図である。図６に示す植物１６は花と葉を含む１株のクリスマスローズである。このように、上記製造方法を用いることで、原形では瓶１２の孔１２１を通過できない形状の植物１６であっても、切断箇所を植物２６の株の一箇所のみとし、他の箇所は切断せずに当該植物１６の形状を保持した状態で瓶１２に配することが可能となる。つまり、図６では、クリスマスローズの自然な姿が、ハーバリウムに表れている。
【００２７】
ここで、孔１２１が植物１６（クリスマスローズ）よりも大きければ、本発明の製造方法によらずに、植物１６の自然な姿を表すことができる。しかし、上方に大きな孔のあるものとなってしまい、植物標本としてのハーバリウムというよりも、植物を広口の瓶に収容しただけに見えてしまう。上部の孔１２１が細いハーバリウムのほうが、スタイリッシュな意匠性に優れている。本発明に係るハーバリウムの製造方法によって、上部の孔１２１が細いハーバリウムであっても植物１６の自然な姿を表すことができる。
【産業上の利用可能性】
【００２８】
本発明に係るハーバリウムの製造方法は、植物の原型を保持した状態で植物を瓶内に入れて長期間保存することができるため、観賞用に加えて、学術用の標本としても利用することができる。
【符号の説明】
【００２９】
１      乾燥剤
１２    瓶
１２１  孔
１４    オイル
１６    植物
１８    乾燥剤
【図１】
2020110939.tif 000003
【図２】
2020110939.tif 000004
【図３】
2020110939.tif 000005
【図４】
2020110939.tif 000006
【図５】
2020110939.tif 000007
【図６】
2020110939.tif 000008
【図７】
2020110939.tif 000009
【図８】
2020110939.tif 000010